(57)【要約】      （修正有）【課題】場内又は場外を問わず、手許で、じっくりと、レース結果を見ながら、落ち着いて自分の感性によってレースの予測を思考でき、投票が可能となる装置を提供する。【解決手段】第１盤面部と第２盤面部とが開閉かつ合着自在に構成されたノート型であって、前記第１盤面部内面には各レース毎の１着から３着までの番号を表示するレース結果表示部が形成されているとともに前記第２盤面部内面にはマークシート記入部が形成されている。又は前記レース結果表示部に数字の１から９までが異なった色で色分けされて表示されるようにすることもできる。前記レース結果表示部を液晶装置から構成し、各レース欄の着番欄に色分けされた数字が入力されるようにすることができる。【選択図】図１
0003145205.tif 000002
【実用新案登録請求の範囲】
【請求項１】
第１盤面部と第２盤面部とが開閉かつ合着自在に構成されたノート型であって、前記第１盤面部内面には各レース毎の１着から３着までの番号を表示するレース結果表示部が形成されているとともに前記第２盤面部内面にはマークシート記入部が形成されていることを特徴とする携帯用レース表示兼記入装置。
【請求項２】
前記レース結果表示部には数字の１から９までが異なった色で色分けされて表示されるようになっている請求項１に記載の携帯用レース表示兼記入装置。
【請求項３】
前記第１盤面部に色分け番号表示欄を有する請求項２に記載の携帯用レース表示兼記入装置。
【請求項４】
前記レース結果表示部が液晶装置からなり各レース欄の着番欄に色分けされた数字が入力されるように構成されている請求項２又は３に記載の携帯用レース表示兼記入装置。
【請求項５】
前記マークシート記入部が紙状シートを載置して記入する盤面に構成されている請求項１ないし４のいずれか１項に記載の携帯用レース表示兼記入装置。
【請求項６】
前記マークシート記入部が液晶装置からなり各レース欄に予想着番が入力されるように構成されている請求項１ないし４のいずれか１項に記載の携帯用レース表示兼記入装置。
【請求項７】
前記マークシート記入部に入力された予想着番を印刷するための印刷部を有する請求項６に記載の携帯用レース表示兼記入装置。
【考案の詳細な説明】
【技術分野】
【０００１】
この考案は、競艇、競輪、競馬等の公営ギャンブルの携帯用レース表示兼記入装置に関し、特には、レース結果の表示部とマークシートの記入部を備えた携帯用レース表示兼記入装置に関する。
【０００２】
競艇、競輪、競馬等の各種公営競技が全国各地で開催されており、本場のほか、場外、電話投票、インターネット投票が実施されている。本場では、マークシートに記入し所定の装置に投入すると、舟券、車券等が出てくる場合と、マークシートを窓口の売り子に渡して券と交換する場合がある。いずれの場合も、締め切り直前はかなり混雑して券を購入できないこともしばしばである。
【０００３】
場内の一般席では書き込み台付きの席が少なく、人々は余分なマークシートを多量に持って書き込み台付きの席に集中する傾向がある。近時、このようなことを慮って、マークシートの収納及び書き込みケースが提案されている（特許文献１）。なお、特別観覧席にはテーブルが配置されているが、テレビはついていたりいなかったりする。
【０００４】
ところで、ギャンブルではよく「目を引く」といって、その日の強い「数字」を気にすることが多い。レースの終わった後で「今日は２の目が強かった。」「１の目が弱かった。」などと言われる。つまり、その日の「出目」の流れを知りたいことがある。しかしながら、場内では、その日のレース結果を表示する場所は少なく、限られており、また、テレビ等の少しの時間しか表示しないが現状である。その日のレース結果を落ち着いてじっくりとみて自分の感性によってレースの予測を思考できる、そう考えるレースファンも決して少なくない。
【特許文献１】実用新案登録第３０３１６３７号公報
【考案の開示】
【考案が解決しようとする課題】
【０００５】
この考案はこのような点に鑑みなされたもので、場内又は場外を問わず、手許で、じっくりと、レース結果を見ながら、落ち着いて自分の感性によってレースの予測を思考でき、投票が可能となる装置を提案するものである。この装置によって、レースの娯楽性はより向上し、レースファンの感性を高め、その利便性は極めて大きい。
【課題を解決するための手段】
【０００６】
すなわち、請求項１の考案は、第１盤面部と第２盤面部とが開閉かつ合着自在に構成されたノート型であって、前記第１盤面部内面には各レース毎の１着から３着までの番号を表示するレース結果表示部が形成されているとともに前記第２盤面部内面にはマークシート記入部が形成されていることを特徴とする携帯用レース表示兼記入装置に係る。
【０００７】
請求項２の考案は、前記レース結果表示部には数字の１から９までが異なった色で色分けされて表示されるようになっている請求項１に記載の携帯用レース表示兼記入装置に係る。
【０００８】
請求項３の考案は、前記第１盤面部に色分け番号表示欄を有する請求項２に記載の携帯用レース表示兼記入装置に係る。
【０００９】
請求項４の考案は、前記レース結果表示部が液晶装置からなり各レース欄の着番欄に色分けされた数字が入力されるように構成されている請求項２又は３に記載の携帯用レース表示兼記入装置に係る。
【００１０】
請求項５の考案は、前記マークシート記入部が紙状シートを載置して記入する盤面に構成されている請求項１ないし４のいずれか１項に記載の携帯用レース表示兼記入装置に係る。
【００１１】
請求項６の考案は、前記マークシート記入部が液晶装置からなり各レース欄に予想着番が入力されるように構成されている請求項１ないし４のいずれか１項に記載の携帯用レース表示兼記入装置に係る。
【００１２】
請求項７の考案は、前記マークシート記入部に入力された予想着番を印刷するための印刷部を有する請求項６に記載の携帯用レース表示兼記入装置に係る。
【考案の効果】
【００１３】
請求項１の考案に係る携帯用レース表示兼記入装置によれば、第１盤面部と第２盤面部とが開閉かつ合着自在に構成されたノート型であって、前記第１盤面部内面には各レース毎の１着から３着までの番号を表示するレース結果表示部が形成されているとともに前記第２盤面部内面にはマークシート記入部が形成されているものであるから、場内又は場外を問わず、手許で、じっくりと、レース結果を見ながら、落ち着いて自分の感性によってレースの予測を思考でき、投票が可能となる。この装置によって、レースの娯楽性はより向上し、レースファンの感性が高めら、その利便性は極めて大きい。
【００１４】
請求項２の考案によれば、前記レース結果表示部には数字の１から９までが異なった色で色分けされて表示されるようになっているものであるから、レース結果の着番が一目でわかり、とりわけ、当日の目を引く数字が色によって一目瞭然となる。
【００１５】
請求項３の考案によれば、請求項２において、前記第１盤面部に色分け番号表示欄を有するものであるから、レース結果の着番の番号確認を簡単かつ容易に行うことができる。
【００１６】
請求項４の考案によれば、請求項２又は３において、前記レース結果表示部が液晶装置からなり各レース欄の着番欄に色分けされた数字が入力されるように構成されているものであるから、レース結果の入力及び確認が簡単かつ容易にしかも視覚的に行うことができる。
【００１７】
請求項５の考案によれば、請求項１ないし４のいずれかにおいて、前記マークシート記入部が紙状シートを載置して記入する盤面に構成されているものであるから、マークシートの書き込み場所を探すことなく、自分の席で落ち着いて、じっくりと、自分の感性に従って記入することができる。
【００１８】
請求項６の考案によれば、請求項１ないし４のいずれかにおいて、前記マークシート記入部が液晶装置からなり各レース欄に予想着番が入力されるように構成されているものであるから、マークシートへの記入が簡単かつ容易にしかも視覚的に行うことができる。
【００１９】
請求項７の考案によれば、請求項６において、前記マークシート記入部に入力された予想着番を印刷するための印刷部を有するものであるから、マークシートへの記入を紙によって表示及び確認することができる。
【考案を実施するための最良の形態】
【００２０】
以下添付の図面に従ってこの考案を詳細に説明する。図１はこの考案の一実施例の携帯用レース表示兼記入装置の斜視図、図２は図１の携帯用レース表示兼記入装置の盤面部を閉じた状態の斜視図、図３はレース結果表示部の実施例を表す平面図、図４はマークシート記入部の実施例を表す平面図、図５は色分け番号表示欄を表す平面図である。
【００２１】
図１及び図２に図示したように、この考案の実施例に係る携帯用レース表示兼記入装置１０は、第１盤面部１１と第２盤面部１２とが開閉かつ合着自在に構成されたノート型Ｎのものであって、前記第１盤面部１１内面には各レース毎の１着から３着までの番号を表示するレース結果表示部２０が形成されているとともに前記第２盤面部１２内面にはマークシート記入部３０が形成されているものである。第１盤面部１１と第２盤面部１２はプラスチック板材よりなり、公知の蝶番部１３によって図１及び図２のように開閉かつ合着自在になっている。図の符号１４は側枠部材、１５は前枠部材で第１盤面部１１の合着時には上面は面一なフラット面に形成される。
【００２２】
前記第１盤面部１１のレース結果表示部２０は、交換可能な紙材、消去及び繰り返し使用可能な白板、あるいは後述する液晶装置からなり、レース番号欄２１，順位欄２２を有し、図示のように、左半分に１から６レースの前半レース分、右半分に７〜１０レース、１１レースを０とした後半レース分を分けて、出目の流れを見やすくしてある。「？」欄は思考枠である。各順位欄２２には３つの連番枠が形成されていて、各レースの１着から３着までの勝敗結果を番号で表示する。このように、レース結果表示部２０に各レース毎の１着から３着までの番号を表示することによって、レース当日の強い「数字」が自ずと明らかになってくる。つまり、その日の「出目」の流れが明らかになってくるのである。
【００２３】
このレース結果表示部２０には、請求項２の考案として規定したように、数字の１から９までが異なった色で色分けされて表示されるようにすれば、レース結果の着番が一目でわかり、とりわけ、当日の目を引く数字、つまり強い数字が色によって一目瞭然となるのである。色分け表示は、表示部２０の構成により、色鉛筆、色インク（マーカー）のほか液晶カラーで行われることになる。
【００２４】
この場合において、請求項３の考案として規定したように、前記第レース結果表示部２０を有する第１盤面部１１に色分け番号表示欄２５を設けることによって、レース結果の着番の番号確認を簡単かつ容易に行うことができる。この色分け番号表示欄２５は、図５に図示したように、次のような、色分けになっている。１枠は白、２枠は黒、３枠は赤、４枠は青、５枠は黄、６枠は緑、７枠は橙、８枠は桃、９枠は紫である。
【００２５】
さらに、この第１盤面部１１におけるレース結果表示部２０は、請求項４の考案として規定し図３に図示したように、液晶装置Ｅ１とすることができ、各レース番号欄２１の順位欄２２に色分けされた数字が入力されるようにしてもよい。図３の色分け番号表示欄２５の番号を例えば図４に示したタッチペンＰによってタッチして、所定レース番号２１欄の順位欄２２に着番毎にタッチすることによって、所定色の番号が表示される。例えば１レースの結果が３−２−５であれば、タッチペンＰで色分け番号表示欄２５の番号３をタッチして１レースの１着欄にタッチし、次に番号２にタッチして１レースの２着欄にタッチし、最後に番号５にタッチして１レースの３着欄にタッチすれば、１レース欄に３−２−５の数字が、赤―黒―黄の順に表示される。以下同様に各レースの着順を入力していく。これによって、レース結果の入力及び確認が簡単かつ容易にしかも視覚的に行うことができる。なお、図３の符号２６は全面クリアー用のオールデリート（全削除）キー、２７は数字訂正用のデリートキーである。
【００２６】
次に、第２盤面部１２のマークシート記入部３０は、請求項５の考案として規定し図１に図示のように、紙状シートＳを載置して記入する盤面３１として構成することができる。マークシートの書き込み場所を探すことなく、自分の席で落ち着いて、じっくりと、自分の感性に従って記入することができる。
【００２７】
これに対して、請求項６の考案として規定し図４に図示したように、このマークシート記入部３０を液晶装置Ｅ２として各レース番号３２欄に予想順位（着番）３３が入力されるように構成することができる。液晶装置Ｅ２からなるマークシート記入部３０への記入は上述したと同様のタッチペンＰで行うのが便宜である。図４の符号３５はタッチペンＰの収納部、３６は数字訂正用のデリートキー、３７は神頼みをする際にランダムな数字を入れるランダムキー、３８は次述する印刷部のための印刷キーである。
【００２８】
請求項７の考案は、前記液晶装置Ｅ２からなるマークシート記３０に入力されたレース番号と予想順を印刷するための印刷部５０を設けたものである。マークシートへの記入を紙５１によって表示及び確認することができる。
【図面の簡単な説明】
【００２９】
【図１】この考案の一実施例の携帯用レース表示兼記入装置の斜視図である。
【図２】図１の携帯用レース表示兼記入装置の盤面部を閉じた状態の斜視図である。
【図３】レース結果表示部の実施例を表す平面図である。
【図４】マークシート記入部の実施例を表す平面図である。
【図５】色分け番号表示欄を表す平面図である。
【符号の説明】
【００３０】
１０  携帯用レース表示兼記入装置
１１  第１盤面部
１２  第２盤面部
２０  レース結果表示部
２５  色分け番号表示欄
３０  マークシート記入部
Ｅ１，Ｅ２  液晶装置
【図１】
0003145205.tif 000003
【図２】
0003145205.tif 000004
【図３】
0003145205.tif 000005
【図４】
0003145205.tif 000006
【図５】
0003145205.tif 000007